(57)【要約】【課題】外容器１内に水切り中容器２を回転自在に組み込み、中容器と一体に回転するように連結被嵌する中蓋３と外容器に被嵌される蓋体４を備え、蓋体と中蓋との間に手動回転機構５を組み込んでなり、手動機構に上下動ハンドル体５１を採用した手動水切り器において、中蓋を分離して洗浄を可能とし、また部品数を増加させることなく、回転ストッパー機能並びに器具収納時のハンドル収納ストッパー機能を備えさせる。【解決手段】蓋体４の収納筒部４１下端から突設した受動側突軸５３６に中蓋を着脱自在に連結した。また上下動ハンドル体５１の下縁外周に係止突部を設け、前記ハンドル体が収納される外蓋の収納筒部に、係止突部が嵌合する上下移動のガイド溝を設けると共に、ハンドルを押し込んだ位置におけるガイド溝側方に、ガイド溝と連続して、前記係止突部の上縁が係止される係止溝を設ける。【選択図】　図１
2004073928.tif 000002
【特許請求の範囲】
【請求項１】
外容器内に水切り中容器を回転自在に組み込み、中容器と一体に回転するように連結被嵌する中蓋と外容器に被嵌される蓋体を備え、蓋体と中蓋との間に手動回転機構を組み込んでなる手動水切り器において、蓋体中央の収納筒部内に上下動可能に組み込んだ上下動ハンドルと、上下動する駆動側と回転する受動側との間に介装した螺旋シャフト板、及び螺旋シャフト板断面の透孔を備えて前記螺旋シャフト板に装着した駆動駒、及びハンドルを上方に突出付勢する発条、及び駆動側から前記発条の付勢方向の抗力が作用した際に、駆動駒が螺旋シャフト板装着側と反対側部材に咬合するクラッチ部とで構成される手動回転機構を備え、蓋体の収納筒部下端から受動側軸を突設し、前記受動側突軸に中蓋を着脱自在に連結してなることを特徴とする手動水切り器。
【請求項２】
上下動ハンドルの下縁外周に係止突部を設け、収納筒部に前記係止突部が嵌合する上下移動のガイド溝を設けると共に、ハンドルを押し込んだ位置におけるガイド溝側方に、ガイド溝と連続して、前記係止突部の上縁が係止される係止溝を設けてなる請求項１記載の手動水切り器。
【発明の詳細な説明】
【０００１】
【産業上の利用分野】
本発明は野菜などの水切りを手動で行う水切り器に関するものである。
【０００２】
【従来の技術及び発明が解決しようとする課題】
手動水切り器は、外容器内に水切り中容器を回転自在に組み込み、中容器と一体に回転するように連結被嵌する中蓋と外容器に被嵌される蓋体（外蓋）を備え、蓋体と中蓋との間に手動回転機構を組み込んでなるものである。
【０００３】
手動回転機構としては、実開昭５５−１３７９４８号公報、同５６−８０２４５号公報に、中蓋の回転軸を外蓋上面に突出させ、当該回転軸に歯車を軸装し、前記歯車に噛み合う駆動歯車を蓋体に軸装すると共に、蓋体に駆動歯車を回転駆動させる回転ハンドル体を設けている構成が開示されている。
【０００４】
前記の回転ハンドル型水切り器は、駆動力を軽くするためにハンドルの回転半径を大きくすれば良いが、同時に固定部分（外容器と蓋体）にも回転力が伝わるので、使用時には、固定部分をしっかりと抑えておかなければならない不便さがある。また歯車構造を採用しているので、歯車の歯の折損摩耗によって故障を起こしやすい。更に蓋体と中蓋とは容易に分離できる構造ではないので、蓋体と中蓋の間の洗浄が困難であった。
【０００５】
また手動回転機構としては、米国特許第５９９２０３９号、同６０１８８８３号に、上下動ハンドルと、螺旋シャフト板と、螺旋シャフト板断面の透孔を備えた駆動駒とで構成する機構が開示されている。
【０００６】
前記の上下動ハンドル型水切り器は、固定部分を特に手で押さえつける必要が無く、操作性に優れている。しかし公知の上下動ハンドル型の水切り器は、中蓋の中央から回転筒部を立ち上げた構造であって、やはり中蓋と蓋体の間の洗浄が困難であった。
【０００７】
更に前記の公知の水切り器においては、収納時に上下動ハンドルの突出を阻止するストッパーを、蓋体と上下動ハンドルとの間に設けているが、外観視認され必ずしもデザイン的にすっきりしないし、同部材の採用は部品構成を多くし生産コストに跳ね返ってくる。
【０００８】
また前記上下動ハンドル型水切り器においては、回転中の水切り中容器の回転を停止させる構造として、蓋体に中蓋の表面に当接する減速ボタンが設けられている。このボタンも前記のストッパー同様に、外観デザインの問題と、部品追加による生産コストの問題がある。
【０００９】
そこで本発明は、上下動ハンドル型の水切り器において、いちばん汚れのたまり易い蓋裏の洗浄と、部品の増加をすることなく回転部分の減速停止並びにハンドル収納を可能とした新規な水切り器を提案したものである。
【００１０】
【課題を解決する手段】
本発明に係る手動水切り器は、外容器内に水切り中容器を回転自在に組み込み、中容器と一体に回転するように連結被嵌する中蓋と外容器に被嵌される蓋体を備え、蓋体と中蓋との間に手動回転機構を組み込んでなり、手動機構を、蓋体中央の収納筒部内に上下動可能に組み込んだ上下動ハンドルと、上下動する駆動側と回転する受動側との間に介装した螺旋シャフト板、及び螺旋シャフト板断面の透孔を備えて前記螺旋シャフト板に装着した駆動駒、及びハンドルを上方に突出付勢する発条、及び駆動側から前記発条の付勢方向の抗力が作用した際に、駆動駒が螺旋シャフト板装着側と反対側部材に咬合するクラッチ部とで構成し、特に蓋体の収納筒部下端から受動側軸を突設し、前記受動側突軸に中蓋を着脱自在に連結してなることを特徴としたものである。
【００１１】
従って中蓋を受動側突軸と連結し、上下動ハンドルを上下駆動すると、ハンドルの押し込み時に駆動駒のクラッチが接続状態となって、螺旋シャフト板と駆動駒とが相対的に上下移動と回転運動し、回転部分（中蓋と中容器）を回転させ、ハンドルの押し込みを解除すると、発条の付勢力でクラッチ部が離れると共に、空転状態でハンドルが上昇する。従ってハンドルの押し込み解除を繰り返すことで回転部分が回転して中容器内に収納した野菜などの水切りが行われる。
【００１２】
そして中蓋は受動側突軸との連結を解除すると、容易に分離することができるので、中蓋と蓋体の間の洗浄を容易に実視できる。
【００１３】
また本発明は、前記の上下動ハンドル型の手動水切り器において、特に上下動ハンドルの下縁外周に係止突部を設け、収納筒部に前記係止突部が嵌合する上下移動のガイド溝を設けると共に、ハンドルを押し込んだ位置におけるガイド溝側方に、ガイド溝と連続して、前記係止突部の上縁が係止される係止溝を設けてなることを特徴とするものである。
【００１４】
また使用しない場合や、回転を停止させたい場合には、ハンドルを押し込んだ状態のまま（クラッチ部が接続されている状態）を維持すると回転は停止する。当該状態でハンドルを回動して、係止突部を係止溝に侵入させて係止すると、ハンドルの上方突出が阻止されハンドルは押し込まれたままの状態となる。
【００１５】
【実施の形態】
次に本発明の実施の形態について説明する。全体の構成は、従前の上下動ハンドルタイプの水切り器と同様に、外容器１と、中容器２と、中蓋３と、外蓋となる蓋体４と手動回転機構５で構成される。
【００１６】
外容器１は、内部中央に、中容器２の回転中心となる支持突起１１を設けてなる。
【００１７】
中容器２は、水切り可能とした網容器で、底部中心に支持突起１１が収まる凹部２１を形成し、上縁に中蓋３の連結板部３１が嵌合する受け部を設けてなる。
【００１８】
中蓋３は、外周下縁に連結板部３１を形成し、中央に手動機構部５の全体が収納される収納凹部３２、及び収納凹部３２の底面に、後述するシャフトベース体５３２の脚部（受動側突軸）５３６の段差下方部分が挿通される連結用透孔３３を設けてなる。なお連結透孔３３は、前記脚部５３６の形状に対応するもので、回転力の伝達を考慮すると、多角形状であることが望ましい。
【００１９】
蓋体４は、外容器１に被嵌するもので、中央に後述する上下ハンドル体５１が密挿される収納筒部４１を設けたもので、前記収納筒部４１の内側面には、停止部４２を設け、また同側面の一部を切除してガイド溝４３及び係止溝４４を設け、底面には、シャフトベース５３２の装着部４５を設けている。
【００２０】
停止部４２は、後述する上下動ハンドル体５１の通常の上下作動の下降点を規制するもので、上下動ハンドル体５１の下縁が衝突する適宜幅の突部としたものである。
【００２１】
ガイド溝４３は、後述する上下動ハンドル体５１の係止突部５１４の幅と対応して切欠したものであり、係止溝４４は、上下動ハンドル体５１の下縁が前記停止部４２に衝突した位置における係止突部５１４と対応した位置に設けたもので、係止溝４４への移行部分は、一段目の係止縁４４１から傾斜縁４４２を経て、係止溝４４の係止上縁４４３に至るように設けてなる。
【００２２】
また前記装着部４５は、分割周壁４５１と、分割周壁４５１の内方に抜け止め突起４５２を設け、底面にシャフトベース体５３２の脚部（受動際突軸）５３６の段差上部が挿通される透孔４５３を穿設し、透孔４５３の周囲（分割突部で形成されている）上面に、小突起４５４を設けてなる。
【００２３】
手動回転機構５は、上下動ハンドル体５１と、駆動駒５２と、螺旋部５３と、発条５４とで構成されている。
【００２４】
上下動ハンドル体５１は、上部把手（円形、非円形のいずれでも良いが、回動操作を考慮すると非円形が好ましい）５１１の下面に、外筒部５１２と内筒部５１３の二重筒部を設け、外筒部５１２は、下縁外周の一部を立て切り込みで分離して筒軸方向への弾性移動を可能にし、当該箇所に係止突部５１４を設けてなる。特に前記の立て切り込みは、係止突部５１４が係止縁４４１から傾斜縁４４２そして係止上縁４４３へと横移動する際に、外筒部５１２が停止部４２に寄って阻害されないよう適宜な範囲で形成する。
【００２５】
また内筒部５１３には、底内縁に駆動駒５２の抜け止め突起５１５を形成すると共に、前記抜け止め突起５１５の上方に、駆動駒５２がクラッチ作用をなすに十分な上下移動可能な余裕空間５１６をおいて、底面にクラッチ歯５１７を形成した歯板５１８を内周面に放射状に多数設けてなる。更に内外筒部の間の上部空間に、発条止め５１９を設けてなる。
【００２６】
駆動駒５２は、余裕空間５１６内に位置させるベース部５２１に、螺旋シャフト板断面形状の透孔５２２を穿設し、且つベース部５２１の上面にクラッチ歯５１７と咬合するクラッチ歯５２３を形成し、更にベース部上方に、螺旋シャフト板５３１の移動を可能とし、且つ歯板５１８と当接して駆動駒５２の上下動（余裕空間の上下幅分）をスムーズにさせる安定筒部５２４を設けてなる。
【００２７】
螺旋部５３は、螺旋シャフト板５３１と、シャフトベース体５３２と、回転ワッシャー５３３と、取付体５３４で構成されている。
【００２８】
螺旋シャフト板５３１は、細長板体を捻って螺旋状としたもので、その下端をシャフトベース体５３２に連結固定してなる。シャフトベース体５３２は、円盤状部５３５と段付き脚部５３６を備え、円盤状部５３５は、前記の装着部４５の小突起４５４の上部に、回転ワッシャー５３３を介して載置状態とし、脚部５３６は透孔４５３より下方に突出させる。取付体５３４は、脚部５３６に螺合する構造としているものである。
【００２９】
そして手動回転機構５の組み込みは、上下動ハンドル体５１に駆動駒５２を組み込み、螺旋シャフト板５３１をシャフトベース体５３２に連結固定し、螺旋シャフト板５３１を駆動駒５２の透孔５２２及び安定筒部５２４に挿入する。圧縮発条５４の上端を内外筒部の５１２，５１３の間に差し込み、発条止め５１９に衝突させてなる。
【００３０】
前記状態で、装着部４５の小突起４５４上に回転ワッシャー５３３を載置し、収納筒部４１の上方からシャフトベース体５３２を装着部４５に押入し、脚部５３６を透孔４５３から下方に露出させる。同時に外筒部５１２を収納筒部４１内に密挿して、係止突部５１４をガイド溝４３内に位置させる。
【００３１】
前記状態で、収納筒部４１から、シャフトベース体５３２の脚部（受動側突軸）５３６が突出している状態となる。
【００３２】
従って中蓋３と取付体５３４は、他の部材とは分離した状態となるので、当該状態で、蓋体４の表裏面並びに中蓋３の表裏面の洗浄が可能である。
【００３３】
そして使用に際しては、受動側突軸であるシャフトベース体５３２の脚部５３６を連結用透孔３３に差込み、中蓋３の裏面から取付体５３４を脚部５３６に螺合緊締すると、中蓋３を回転可能に連結できる。
【００３４】
なお前記の中蓋３と受動側突軸の連結構造は、前記の取付体の採用に限定されるものではなく、例えば受動側突軸（シャフトベース体５３２の脚部）を矩形断面にして、両外側に抜け止め突起を設けた弾性脚とし、中蓋の連結用透孔を矩形穴とすることで、取付体を不要にして着脱自在の構造とすることもでき、この連結構造は所定の機能を発揮するものであれば、任意に定められる。
【００３５】
そして中蓋３を連結すると、中蓋３，蓋体４、手動回転機構部５が一体となり、中蓋３と蓋体４の間に適宜な空隙が存在し、両者は、シャフトベース体（受動側突軸）５３２で連結されている構造となる、使用状態となる。
【００３６】
次に前記構造の水切り器の動作について説明する。中容器２を外容器１内の支持突起１１上に載置し、一体である中蓋３，蓋体４、手動回転機構部５を内外容器１，２に被嵌する。前記の被嵌は、中蓋３の連結板部３１を受け部に嵌合して、中蓋３の回転と共に中容器２も回転するようにし、蓋体４は外容器１にしっかりと装着する。
【００３７】
そして上下動ハンドル体５１が、発条５４の付勢力で、上方に突出した状態から、上下動ハンドル体５１を押し込むと、螺旋シャフト板５３１が抵抗となって駆動駒５２が余裕空間５１６内を上方に移動し、駆動駒５２のクラッチ歯５２３が歯板５１８の底面のクラッチ歯５１７と咬合する。更に上下動ハンドル体５２を押し込むと、駆動駒５２がハンドル体５１と共に下方移動するので、螺旋シャフト板５３１は駆動駒５２の移動によって強制的に回転させられる。
【００３８】
従って上下動ハンドル体５１の押し込み動作で中容器２及び中蓋３が回転することになり、停止部４２に上下動ハンドル体５１の外筒部５１２の下端に衝突すると、上下動ハンドル体５１の下降が停止されるが、駆動駒５２は、螺旋シャフト板５３１の慣性回転によって、余裕空関５１６内を下方に移動して、クラッチ歯５１７，５２３の咬み合いが解除され、中蓋などの回転部分を慣性回転となる。
【００３９】
そこで上下動ハンドル体５１の押し込み力を解除すると、回転部分が慣性回転したままで、上下動ハンドル体５１が発条５４の付勢力で上昇する。
【００４０】
そして再度押し込みを行うことで中容器などの回転部分に再度回転力を付与することになるので、上下動ハンドル５１を停止部４２に衝突するまで押し込み、衝突すると押し込みを解除し（手を離し）、上昇した上下動ハンドル体５１を再度押し込むという動作を繰り返すことで、回転が継続することになり、中容器２内に入れた野菜などの水切りがなされる。
【００４１】
次に上下動ハンドル体５１が、駆動最下位置（外筒部５１２の下端が停止部４２に衝突した位置）に達すると、上下動ハンドル体５１の下降動作が停止して、回転部分は自由転状態となるが、上下動ハンドル体５１が停止部４２に衝突した状態の時に回動して、係止突部５１４を係止縁４４１に当接させて更に回動すると、係止突部５１４が傾斜縁４４２に添って係止上縁４４３に至ることになる。このように上下動ハンドル体５１を駆動最下位置よりも更に下降させると、駆動駒５２を上下動ハンドル体５１で押さえ付けることになり、クラッチ歯５１７，５２３が咬み合い、回転部分は停止することになる。
【００４２】
従って上下動ハンドル体５１の駆動側と中蓋３などの受動側とがロックされ、器具の収納状態となるものである。勿論使用時には、上下動ハンドル体５１を、逆に回動して前記係止を解除すれば良い。
【００４３】
なお前記実施形態は、螺旋シャフト板を回転側に組み込んでいるが、逆に上下動ハンドル体側に組み込む様にしても良い。
【００４４】
【発明の効果】
以上のように本発明は、外容器内に水切り中容器を回転自在に組み込み、中容器と一体に回転するように連結被嵌する中蓋と外容器に被嵌される蓋体を備え、蓋体と中蓋との間に手動回転機構を組み込んでなり、手動機構を上下動ハンドル型とした手動水切り器において、蓋体の収納筒部下端から受動側軸を突設し、前記受動側突軸に中蓋を着脱自在に連結したもので、中蓋分離を容易にして中蓋と蓋体の間部分の洗浄を可能としたものである。
【００４５】
また上下動ハンドルの下縁外周に係止突部を設け、前記ハンドル体が収納される外蓋の収納筒部に、係止突部が嵌合する上下移動のガイド溝を設けると共に、ハンドルを押し込んだ位置におけるガイド溝側方に、ガイド溝と連続して、前記係止突部の上縁が係止される係止溝を設けてなるもので、部品数を増加させることなく、回転ストッパー機能並びに器具収納時のハンドル収納ストッパー機能を備えさせたものである。
【図面の簡単な説明】
【図１】本発明の実施形態の全体の裁断斜視図。
【図２】同断面図。
【図３】同回転機構部の全体の分解説明図（一部外形図）。
【図４】同回転機構部の全体の分解説明図（断面図）。
【図５】同回転機構部の内筒部と駆動駒の拡大断面図。
【図６】同回転機構部の収納筒部とシャフトベース体拡大断面図。
【図７】同回転機構部の断面図（ハンドル体上昇時）。
【図８】同回転機構部の断面図（ハンドル体下降時）。
【符号の説明】
１　　　　　外容器
１１　　　　支持突起
２　　　　　中容器
２１　　　　凹部
３　　　　　中蓋
３１　　　　連結板部
３２　　　　収納凹部
３３　　　　連結用透孔
４　　　　　蓋体
４１　　　　収納筒部
４２　　　　停止部
４３　　　　ガイド溝
４４　　　　係止溝
４４１　　　係止縁
４４２　　　傾斜縁
４４３　　　係止上縁
４５　　　　装着部
４５１　　　分割周壁
４５２　　　抜け止め突起
４５３　　　透孔
４５４　　　小突起
５　　　　　手動回転機構
５１　　　　上下動ハンドル体
５１１　　　上部把手
５１２　　　外筒部
５１３　　　内筒部
５１４　　　係止突部
５１５　　　抜け止め突起
５１６　　　余裕空間
５１７　　　クラッチ歯
５１８　　　歯板
５１９　　　発条止め
５２　　　　駆動駒
５２１　　　ベース部
５２２　　　透孔
５２３　　　クラッチ歯
５２４　　　安定筒部
５３　　　　螺旋部
５３１　　　螺旋シャフト板
５３２　　　シャフトベース体
５３３　　　回転ワッシャー
５３４　　　取付体
５３５　　　円盤状部
５３６　　　脚部
５４　　　　発条
【図１】
2004073928.tif 000003
【図２】
2004073928.tif 000004
【図３】
2004073928.tif 000005
【図４】
2004073928.tif 000006
【図５】
2004073928.tif 000007
【図６】
2004073928.tif 000008
【図７】
2004073928.tif 000009
【図８】
2004073928.tif 000010